(57)【要約】【課題】  無線端末を利用する個々のユーザのニーズを満たすサービスを提供するとともに、そのサービス提供に適した運用が可能な通信システム、基地局、及び通信方法を提供する。【解決手段】  基地局は、無線端末からの接続要求に応じて、管理サーバに、当該無線端末へのリソース割り当てに関する選択基準情報を要求し、管理サーバは、基地局からの選択基準情報の要求を受け付け、把握した選択基準情報を、前記基地局に送信するステップと、基地局は、管理サーバから無線端末に関する選択基準情報を取得し、基地局におけるリソース状況を把握し、把握した前記リソース状況と、前記選択基準情報とに応じて、無線端末にリソースを割当て、選択基準情報は、複数項目に関する選択基準と、当該選択基準の優先順位とを含む。【選択図】  図２
2011030126.tif 000002
【特許請求の範囲】
【請求項１】
無線端末と通信を実行する基地局と、当該基地局と通信可能な管理サーバと、を有する通信システムにおいて、
前記基地局は、
前記無線端末からの接続要求に応じて、前記管理サーバに、当該無線端末へのリソース割り当てに関する選択基準情報を要求する情報要求手段と、
前記管理サーバから前記無線端末に関する選択基準情報を取得する情報取得手段と、
前記基地局におけるリソース状況を把握するリソース状況把握手段と、
把握した前記リソース状況と、前記選択基準情報とに応じて、前記無線端末にリソースを割当てるための割当情報を作成する割当情報作成手段と、を備え、
前記管理サーバは、
前記基地局からの前記選択基準情報の要求を受け付ける受付手段と、
前記無線端末に関する選択基準情報を把握し、当該把握した前記無線端末に関する選択基準情報を、前記基地局に送信する送信手段と、を備え、
前記選択基準情報は、複数項目に関する選択基準と、当該選択基準の優先順位とを含む、
ことを特徴とする通信システム。
【請求項２】
前記基地局の前記割当情報作成手段は、前記選択基準情報に含まれる全ての選択基準を満たせない場合には、前記優先順位の高い選択基準を満たすリソース割当てを行う割当情報を作成する、
ことを特徴とする請求項１に記載の通信システム。
【請求項３】
前記基地局は、
前記基地局における、無線端末に割当可能なリソース情報を管理する管理手段と、をさらに備え、
前記リソース状況把握手段は、前記管理手段で管理される前記リソース情報により、前記リソース状況を把握する、
ことを特徴とする請求項１または２に記載の通信システム。
【請求項４】
前記基地局は、
前記無線端末との通信開始後の通信状況を把握する通信状況把握手段と、
前記通信開始後に把握した前記通信状況に基づき、前記無線端末へのリソース割当てを調整する調整手段と、
をさらに備えることを特徴とする請求項１乃至３の何れか一項に記載の通信システム。
【請求項５】
無線端末と通信を実行する基地局と、当該基地局と通信可能な管理サーバと、を有する通信システムの基地局であって、
前記無線端末からの接続要求に応じて、前記管理サーバに、当該無線端末へのリソース割り当てに関する選択基準情報を要求する情報要求手段と、
前記管理サーバから前記無線端末に関する選択基準情報を取得する情報取得手段と、
前記基地局におけるリソース状況を把握するリソース状況把握手段と、
把握した前記リソース状況と、前記選択基準情報とに応じて、前記無線端末にリソースを割当てるための割当情報を作成する割当情報作成手段と、を備え、
前記選択基準情報は、複数項目に関する選択基準と、当該選択基準の優先順位とを含む、
ことを特徴とする基地局。
【請求項６】
無線端末と通信を実行する基地局と、当該基地局と通信可能な管理サーバと、を有する通信システムの通信方法であって、
前記基地局は、
前記無線端末からの接続要求に応じて、前記管理サーバに、当該無線端末へのリソース割り当てに関する選択基準情報を要求するステップと、
前記管理サーバは、
前記基地局からの前記選択基準情報の要求を受け付けるステップと、
前記無線端末に関する選択基準情報を把握し、当該把握した選択基準情報を、前記基地局に送信するステップと、
前記基地局は、
前記管理サーバから前記無線端末に関する選択基準情報を取得するステップと、
前記基地局におけるリソース状況を把握するステップと、
把握した前記リソース状況と、前記選択基準情報とに応じて、前記無線端末にリソースを割当てるための割当情報を作成するステップと、を有し、
前記選択基準情報は、複数項目に関する選択基準と、当該選択基準の優先順位とを含む、
ことを特徴とする通信方法。
【発明の詳細な説明】
【技術分野】
【０００１】
本発明は、無線ブロードバンドシステムを利用する通信システム、基地局および通信方法に関する。
【背景技術】
【０００２】
近年、インターネット等の通信ネットワークのブロードバンド化が進んでいる。これを実現する手段として、ＦＴＴＨ（Fiber To The Home）、ＡＤＳＬ（Asymmetric Digital Subscriber Line）等の有線接続を利用した有線ブロードバンドシステムと、Ｂｌｕｅｔｏｏｔｈ(登録商標)、ＺｉｇＢｅｅ、ＷｉＭＡＸ等に代表される無線通信を通じた無線ブロードバンドシステムとが構築され、また利用されている。
【０００３】
かかるブロードバンドシステム、特に無線ブロードバンドシステムでは、無線端末を利用するユーザにとって最適な通信を可能にする技術が提案されている。
【０００４】
例えば、データを送受信する際の、変調方式の選択方法、バッファサイズ、残り無線リソースが少ないときの無線リソースの共用、等の技術が提案されている。
【０００５】
また、無線端末を利用するユーザの契約内容や、当該無線端末の通信状況に応じた優先度を各無線端末に設定し、当該優先度に応じた無線リソース割り当てを行う技術が提案されている（例えば、特許文献１を参照）。
【先行技術文献】
【特許文献】
【０００６】
【特許文献１】特開２００５−４５５６１号公報
【発明の概要】
【発明が解決しようとする課題】
【０００７】
上述する技術は、一定の選択基準や、当該選択基準に関する情報を利用して、無線基地局等にて実行される。この選択基準や情報は、無線通信システム設計時に想定された、通信形態や通信状況に基づき設定される。そして、設定後の運用時には、無線通信を行う際、全ての無線端末に、一定の選択基準や、当該選択基準に基づき適用され、優先度の設定や、無線リソース等の割り当てに利用されることになる。
【０００８】
そのため、予め規定されている基準および情報を利用して設定した優先度、当該優先度に応じた無線リソース割り当てが行われているため、無線端末を使用する個々のユーザに応じた設定（調整）を行うことができず、ユーザのニーズを満たすことができない場合がある。
【０００９】
本発明は、このような問題点に鑑みてなされたものであり、本発明の目的は、無線端末を利用する個々のユーザのニーズを満たすサービスを提供するとともに、そのサービス提供に適した運用が可能な通信システム、基地局および通信方法を提供することにある。
【課題を解決するための手段】
【００１０】
上記目的を達成するため、本発明は、無線端末と通信を実行する基地局（基地局１００）と、当該基地局と通信可能な管理サーバ（管理サーバ２００）と、を有する通信システム（通信システム１０）において、前記基地局は、前記無線端末からの接続要求に応じて、前記管理サーバに、当該無線端末へのリソース割り当てに関する選択基準情報を要求する情報要求手段（設定部１８１）と、前記管理サーバから前記無線端末に関する選択基準情報を取得する情報取得手段（有線通信部１０６）と、前記基地局におけるリソース状況（無線リソース管理情報）を把握するリソース状況把握手段（作成部１８２）と、把握した前記リソース状況と、前記選択基準情報とに応じて、前記無線端末にリソースを割当てるための割当情報（ユーザ管理情報）を作成する割当情報作成手段（作成部１８２）と、を備え、前記管理サーバは、前記基地局からの前記選択基準情報の要求を受け付ける受付手段（制御部２０２）と、前記無線端末に関する選択基準情報を把握し、当該把握した前記無線端末に関する選択基準情報を、前記基地局に送信する送信手段（有線通信部２０１）と、を備え、前記選択基準情報は、複数項目に関する選択基準と、当該選択基準の優先順位とを含む、ことを特徴とする。
【００１１】
本発明によれば、複数項目に関する選択基準と、その優先順位を含む選択基準情報を利用して、無線端末に割り当てる割当情報を作成するので、無線端末を利用する個々のユーザのニーズを満たすサービスを提供するとともに、そのサービス提供に適した運用を行うことができる。
【００１２】
また、本発明における通信システムは、前記基地局は、前記基地局の前記割当情報作成手段は、前記選択基準情報に含まれる全ての選択基準を満たせない場合には、前記優先順位の高い選択基準を満たすリソース割当てを行う割当情報を作成する、ことを特徴とする。
【００１３】
本発明によれば、少なくとも優先順位の高い選択基準を満たす様なリソース割当を行うことで、ユーザの希望する最低限のサービスは提供することができる。
【００１４】
また、本発明における通信システムは、前記基地局における、無線端末に割当可能なリソース情報を管理する管理手段と、をさらに備え、前記リソース状況把握手段は、前記管理手段で管理される前記リソース情報により、前記リソース状況を把握する、ことを特徴とする。
【００１５】
また、本発明における通信システムの基地局は、前記無線端末との通信開始後の通信状況を把握する通信状況把握手段と、前記通信開始後に把握した前記通信状況に基づき、前記無線端末へのリソース割当てを調整する調整手段と、をさらに備えることを特徴とする。
【００１６】
上記目的を達成するため、本発明は、無線端末と通信を実行する基地局と、当該基地局と通信可能な管理サーバと、を有する通信システムの基地局であって、前記無線端末からの接続要求に応じて、前記管理サーバに、当該無線端末へのリソース割り当てに関する選択基準情報を要求する情報要求手段と、前記管理サーバから前記無線端末に関する選択基準情報を取得する情報取得手段と、前記基地局におけるリソース状況を把握するリソース状況把握手段と、把握した前記リソース状況と、前記選択基準情報とに応じて、前記無線端末にリソースを割当てるための割当情報を作成する割当情報作成手段と、を備え、前記選択基準情報は、複数項目に関する選択基準と、当該選択基準の優先順位とを含む、ことを特徴とする。
【００１７】
上記目的を達成するため、本発明は、無線端末と通信を実行する基地局と、当該基地局と通信可能な管理サーバと、を有する通信システムの通信方法であって、前記基地局は、前記無線端末からの接続要求に応じて、前記管理サーバに、当該無線端末へのリソース割り当てに関する選択基準情報を要求するステップと、前記管理サーバは、前記基地局からの前記選択基準情報の要求を受け付けるステップと、前記無線端末に関する選択基準情報を把握し、当該把握した選択基準情報を、前記基地局に送信するステップと、前記基地局は、前記管理サーバから前記無線端末に関する選択基準情報を取得するステップと、前記基地局におけるリソース状況を把握するステップと、把握した前記リソース状況と、前記選択基準情報とに応じて、前記無線端末にリソースを割当てるための割当情報を作成するステップと、を有し、前記選択基準情報は、複数項目に関する選択基準と、当該選択基準の優先順位とを含む、ことを特徴とする。
【発明の効果】
【００１８】
無線端末を利用する個々のユーザのニーズを満たすサービスを提供するとともに、そのサービス提供に適した運用を行うことができる。
【図面の簡単な説明】
【００１９】
【図１】本発明の実施形態に係る通信システムを示した概略構成図である。
【図２】本発明の実施形態に係る通信システムの、基地局と、管理サーバとの構成を示した機能ブロック図である。
【図３】本発明の実施形態に係る通信システムにおける、管理サーバが記憶する選択基準情報と、基地局が記憶する無線リソース管理情報と、および、ユーザ管理情報のテーブルを示した図である。
【図４】本発明の実施形態に係る通信システムにおける、基地局が記憶する、調整されたユーザ管理情報のテーブルを示した図である。
【図５】本発明の実施形態に係る通信システムにおける、データ通信時の動作を示した図である。
【発明を実施するための形態】
【００２０】
次に、図面を参照して、本発明の実施形態を説明する。
（１）通信システムの構成  
まず、本実施形態に係る通信システムの構成について説明する。
（１．１）全体概略構成  
図１は、本実施形態に係る通信システムの概略構成図である。図１に示すように、通信システム１０は、基地局１００、管理サーバ２００、複数の無線端末３００（３００Ｘ，３００Ｙ，３００Ｚ）、及び、有線ネットワーク４００を備える。
（１．２）通信システムの構成  
図２は、本実施形態に係る通信システムに含まれる、基地局１００と、管理サーバ２００の構成を示す機能ブロック図である。
（１．２．１）基地局の構成
図２に示すように、基地局１００は、アンテナ１０１、無線処理部１０２、信号処理部１０３、バッファ部１０４、上位層処理部１０５、有線通信部１０６、記憶部１０７、及び制御部１０８を備える。
【００２１】
無線処理部１０２は、アンテナ１０１を用いて無線信号（ＲＦ信号）の送信又は受信を行う。無線処理部１０２は、受信系統（ＬＮＡ、ダウンコンバータ及びＡ／Ｄ変換器）及び送信系統（Ｄ／Ａ変換器、アップコンバータ及びパワーアンプ）などを有する。
【００２２】
無線処理部１０２は、信号送信時において、信号処理部１０３からのベースバンド信号をアナログ信号に変換する。無線処理部１０２は、当該アナログ信号をアップコンバート及び増幅して無線信号を生成し、生成した無線信号をアンテナ１０１から送出する。また、無線処理部１０２は、制御部１０８からの指示に従って、無線信号の送信電力を制御する。
【００２３】
無線処理部１０２は、信号受信時において、アンテナ１０１からの無線信号を増幅、ダウンコンバート及びＡ／Ｄ変換することで、無線信号をベースバンド信号に変換する。当該ベースバンド信号は、信号処理部１０３に入力される。
【００２４】
信号処理部１０３は、信号受信時において、ベースバンド信号からユーザデータを復調するとともに、誤り訂正復号を行う。信号処理部１０３は、信号送信時において、制御部１０８から指示される変調クラスを用いて、ユーザデータを変調するとともに、誤り訂正符号化を行う。また、信号処理部１０３は、信号受信時において、アップリンクＵＬにおけるＳＮＲや、ＣＲＣ等の受信品質を測定する。
【００２５】
バッファ部１０４は、信号受信時において、受信したユーザデータの順序制御を行うため、ユーザデータを一時的に記憶する。バッファ部１０４は、信号送信時において、ユーザデータの送信が完了するまで、当該ユーザデータを一時的に記憶する。
【００２６】
上位層処理部１０５は、ユーザデータを生成する。例えば、上位層処理部１０５は、ＲＴＰ（Transport Protocol for Real-Time Applications : RFC 1889）／ＵＤＰ（User Datagram Protocol : RFC 768）／ＩＰ（Internet Protocol : RFC 791）などの通信プロトコルを実行する。
【００２７】
有線通信部１０６は、ネットワーク４００を介して、管理サーバ２００とデータの送信又は受信を行う。
【００２８】
記憶部１０７は、制御部１０８の動作に必要な各種情報を記憶する。記憶部１０７には、通信管理情報と、無線リソース管理情報、及び、ユーザ管理情報が記憶される。
【００２９】
通信管理情報とは、基地局１００における現在の無線通信の状況に関する情報である。この情報には、例えば、各無線端末３００によって通知されるダウンリンクＤＬのＲＳＳＩ等の受信品質、信号処理部１０３で測定された各無線端末３００のアップリンクＵＬの受信品質等が含まれる。また、この他に、例えば、基地局１００と端末３００の距離、通信データ量、通信頻度、等も併せて含めてもよい。これらの通信管理情報は、所定の時間ごとに取得され、更新される。
【００３０】
無線リソース管理情報とは、基地局１００が提供可能な無線リソースを管理する情報である。この情報には、割り当て可能な無線通信チャネルの数、割り当て可能な残り拡張バッファ量、優先割当可能な無線端末数等が含まれる。この無線リソース管理情報は、無線端末３００に対するユーザ管理情報の作成に応じて更新される。
【００３１】
ユーザ管理情報とは、現在通信中の無線端末３００、及び、過去に当該基地局１００に接続して無線通信を行ったことのある無線端末３００に設定した情報を、無線端末３００ごとに管理する情報である。このユーザ管理情報は、無線リソース管理情報を利用して、各無線端末３００が要求するサービスに応じた設定情報が作成される。
【００３２】
制御部１０８は、設定部１８１、作成部１８２、及び、更新部１８３を備える。
【００３３】
設定部１８１は、無線端末３００からの接続要求を検出すると、管理サーバ２００に対して選択基準情報を要求する処理を行う。また、設定部１８１は、接続要求を行った無線端末３００に対し、記憶部１０７に記憶される当該無線端末３００のユーザ管理情報に基づく無線通信に関する設定を実行する。さらに、無線端末３００のユーザ管理情報の更新（調整）に伴い、設定部１８１は、無線通信に関する設定の更新を行う。
【００３４】
作成部１８２は、接続要求を行った無線端末３００と無線通信を行う際に利用するユーザ管理情報を作成する。作成部１８２は、記憶部１０７に記憶する無線リソース管理情報と、管理サーバ２００から取得する当該無線端末３００の選択基準情報と、を利用して、ユーザ管理情報を作成する。また、作成部１８２は、ユーザ管理情報の作成後、作成に利用した無線リソース管理情報の更新を行う。さらに、選択基準情報に含まれる優先順位に応じて、各無線端末３００のユーザ管理情報を作成する。優先順位に応じたユーザ管理情報の作成に関する詳細は、後述する。
【００３５】
更新部１８３は、記憶部１０７に記憶される通信管理情報の更新に応じて、記憶部１０７に記憶されるユーザ管理情報の更新（調整）を行う。
【００３６】
なお、制御部１０８は、無線端末３００との通信において、自動再送制御（ＡＲＱ）や、ＣＲＣを用いた誤り検出なども行う。
（１．２．２）管理サーバの構成  
図２に示すように、管理サーバ２００は、有線通信部２０１、制御部２０２、及び記憶部２０３を備える。
【００３７】
有線通信部２０１は、ネットワーク４００を介して、基地局１００とデータの送信又は受信を行う。
【００３８】
制御部２０２は、接続要求を行った無線端末３００の選択基準情報が基地局１００から要求されると、当該要求を受け付ける。そして、無線端末３００に対応する選択基準情報を把握し、基地局１００に送信するための処理を実行する。また、無線端末３００の利用登録がなされた場合、当該利用登録のサービス内容に応じた選択基準情報を作成する。尚、管理サーバ２００が、例えば、認証サーバである場合、制御部２０２は、接続要求を行った無線端末３００についての認証処理等の処理も併せて実行してもよい。
【００３９】
記憶部２０３は、各無線端末３００における選択基準情報を記憶する。選択基準情報とは、各無線端末３００を利用するユーザが利用登録する際に希望するサービス内容に応じた無線リソースを、基地局１００が無線端末３００に選択して割り当てる際の選択基準を示す情報である。この選択基準情報は、ユーザが希望するサービス内容の変更に応じて、更新される。
（２）ユーザ管理情報の作成、更新（調整）
次に、本実施形態に係る通信システムの基地局における、ユーザ管理情報の作成、更新について、図３，図４を利用して説明する。
【００４０】
図３（Ａ）は、管理サーバ２００の記憶部２０３に記憶される選択基準情報が、無線端末３００ごと（無線端末Ｘ、Ｙ、および、Ｚ）に設定され、図３（Ａ）に示す様なテーブルとして管理されていることを示す図である。
【００４１】
選択基準情報は、基地局１００が無線リソースを無線端末３００に割り当てるユーザ管理情報を作成する際に利用される。この選択基準情報は、図３（Ａ）に示される様に、例えば、バッファ部１０４における送受信するユーザデータを一時的に記憶するバッファを拡張する際の拡張バッファサイズ、基地局１００と無線端末２００において送受信するユーザデータがない時（アイドル時）において、ＴＣＨ（Traffic Channel）を切断するまでの時間、基地局１００において無線通信等において負荷が大きい場合（例えば、残り無線リソース量が少ない場合）に他の無線端末３００との無線チャネルの共用可否、無線端末３００との無線通信時の変調方式を選択する際の基準、無線端末３００の端末種別、各項目のいずれかを優先するための優先順位、等に関する情報が記憶される。このうち優先順位については、基地局１００の割り当て可能な無線リソース量が有限であり、全ての基準を満たす無線リソースを基地局１００が提供できない場合に利用する。この場合、優先順位が最上位の無線リソースは、少なくとも確保できる様、無線リソースの再割り当て等が実行される。
【００４２】
この選択基準情報は、ユーザが希望するサービス内容に応じて設定される。例えば、無線端末Ｘを利用するユーザが、利用登録時に、通信環境が良いときはより高速な通信が行え、一方で、通信環境が悪化したときは、多少遅延が生じたり、通信速度が一時的に不安定になったりしても構わないといったサービスを希望したとする。この場合には、図３（Ａ）に示される様に、例えば、バッファサイズとして最低でもＭ（kB）だけバッファサイズを拡張し、切断時間としてＳ(msec)、他の無線端末３００との無線チャネルの共用は行わない、変調方式の基準として８ＱＡＭ（8 Quadrature Amplitude Modulation）以下の変調方式（８ＱＡＭの通信レート以下の通信レートを有する変調方式）を採用、と希望するサービスに応じた設定を行う。ここで、変調時の変調方式の基準は、設定可能な変調方式の上限、つまり、変調方式の通信レートが最も高い変調方式としている。これは、変調方式の基準を通信レートが最低の変調方式とすると、通信状況に応じて、通信レートの高い変調方式による変調を順々に行うこととなり、急激にエラーが生じると変調方式を通信レートの低い変調方式に変更する処理を行うことになる。これにより、例えば、通信速度が速いサービスを希望するユーザが利用する無線端末３００において、通信速度の安定性を維持できず、希望するサービスを提供することができないためである。また、優先順位は、共用可否を最上位とし、以下、バッファサイズ、切断時間の順で設定する。尚、無線端末３００に対し、選択基準が設定されていない項目がある場合には、予め規定されている初期値が設定される。
【００４３】
また、無線端末Ｙを利用するユーザが、利用登録時に、通信速度は遅くても、遅延の少ない、安定した通信が可能なサービスを希望したとする。この場合には、図３（Ａ）に示される様に、例えば、バッファサイズとして最低でもＮ（kB）だけ拡張し、切断時間としてＴ(msec)、他の無線端末３００との無線チャネルの共用を行っても構わない、変調方式の基準とし、ＱＰＳＫ（Quadrature Phase Shift Keying）以下の変調方式（ＱＰＳＫの通信レート以下の通信レートを有する変調方式）を採用、と希望するサービスに応じた設定を行う。また、優先順位は、バッファサイズを最上位とし、以下、切断時間、共用可否の順で設定する。
【００４４】
図３（Ｂ）、（Ｃ）は、基地局１００が提供可能な無線リソースを管理する無線リソース管理情報の、テーブルを示す図である。図３（Ｂ）、（Ｃ）に記載される様に、基地局１００は、無線端末３００に割り当て可能な無線リソースを管理し、ユーザ管理情報を作成する際、現在の無線リソースを把握するのに利用する。無線リソース管理情報の項目としては、例えば、バッファ部１０４において、バッファを拡張するために割り当て可能な残り拡張バッファ量、無線端末３００に割り当て可能な無線チャネル数、優先順位の最上位を確実に割り当てる残り無線端末数、等に関する情報が記憶される。尚、図３（Ｂ）は、後述する、無線端末Ｘに対するユーザ管理情報の作成前、図３（Ｃ）は、無線端末Ｘに対するユーザ管理情報作成後、の無線リソース管理情報を示す。
【００４５】
図３（Ｄ）、（Ｅ）は、基地局１００の記憶部１０７に記憶されるユーザ管理情報の、テーブルを示す図である。このユーザ管理情報は、管理サーバ２００から受信した各無線端末３００の選択基準情報と、記憶部１０７に記憶される無線リソース管理情報に基づき設定される。
【００４６】
例えば、上述した無線端末Ｘ（無線端末３００）が、基地局１００に対して接続要求した場合、管理サーバ２００から取得した無線端末Ｘに関する選択基準情報と、記憶部１０７に記憶される無線リソース管理情報とを参照、比較し、作成部１８２は、無線端末Ｘに関するユーザ管理情報を作成する。
【００４７】
まず、作成部１８２は、優先順位が最上位である共用可否に関する設定情報を作成する。作成にあたり、共用可否と、残り無線チャネル数と、とに関する情報を利用する。この場合、図３（Ｂ）に示される様に、残り無線チャネル数が１であるため、無線端末Ｘについて、他の無線端末３００と無線チャネルを共用する必要がない。そのため、無線端末Ｘに単独で無線チャネルを割り当てる。次に、優先順位の高いＴＣＨの切断時間に関しては、Ｓと、初期値の切断基準時と、を比較する。この場合、当該初期値より大きいため、当該無線端末Ｘが要求する切断時間を割当可能か、無線リソース管理情報に含まれる、切断時間確保端末数を参照する。参照の結果、割当可能であるため、無線端末Ｘが要求する切断時間Ｓを設定する。次に優先順位の高い、拡張バッファ量に関しては、まず、拡張バッファ量の要求の有無を把握する。要求する拡張バッファ量がある場合には、要求する拡張バッファ量Ｍと、無線リソース管理情報に含まれる残り拡張バッファ量を比較する。そして、この場合、Ｍ＜Ｌであるため、無線端末Ｘには、要求する拡張バッファ量Ｍを割り当てる。また、最高の変調方式は、要求された様に設定する。したがって、無線端末Ｘにおけるユーザ管理情報は、図３（Ｄ）の様に、作成部１８２により作成される。尚、無線端末Ｚについては、無線端末Ｘの接続要求前から基地局１００と無線通信中である。また、作成部１８２は、無線端末Ｘのユーザ管理情報作成後、図３（Ｃ）に示される様に、無線リソース情報の更新を行う。
【００４８】
次に、無線端末Ｙ（無線端末３００）が、基地局１００に対して接続要求したとする。この場合、管理サーバ２００から取得した無線端末Ｙに関する選択基準情報と、記憶部１０７に記憶される無線リソース管理情報とを参照、比較する。そして、作成部１８２は、無線端末Ｙに関するユーザ管理情報を作成する。このとき、無線端末Ｙにおいて、優先順位が最上位である拡張バッファ量は、Ｎ＞Ｌ−Ｍで拡張バッファ量を確保できない。次に優先順位の高い切断時間も確保できない。さらに、次に優先順位の高い無線チャネルの割当も単独でできなかったとする。この場合、無線リソース管理情報において、残り優先割当数が１であるため、無線端末Ｙにおける優先順位が最上位である拡張バッファ量は、少なくとも確保するための再割り当てを行うことが可能である。このとき、現在通信中の無線端末Ｚ（無線端末３００）における拡張バッファ量の優先順位が、最下位であったとする。この場合、当該無線端末Ｚの拡張バッファを開放し、当該開放した拡張バッファを無線端末Ｙに割り当てる。したがって、無線端末Ｙ、Ｚにおけるユーザ管理情報は、図３（Ｅ）の様に、作成部１８２により作成、更新（調整）される。尚、無線端末Ｙは、切断時間は初期値が設定され、また、無線端末Ｙは、拡張バッファ量は、０となる。
【００４９】
図４は、基地局１００の記憶部１０７に記憶される通信管理情報に応じた、ユーザ管理情報の調整を示す図である。通信管理情報は、取得された各無線端末３００との無線通信の状況を管理する情報である。そして、当該取得した無線通信の状況に応じて、更新部１８３は、記憶部１０７に記憶されるユーザ管理情報の更新（調整）を行う。
【００５０】
例えば、基地局１００と無線端末Ｘとの無線通信において、ダウンリンクＤＬにおいて取得されるＳＮＲの値から、無線通信の状況が非常に良好であったとする。この場合、更新部１８３は、無線端末Ｘにユーザデータを送信する際の変調方式が８ＱＡＭよりも通信レートの高い、例えば、１６ＱＡＭでも無線通信の安定性を確保できると判断する。そして、更新部１８３は、無線端末Ｘにおけるユーザ管理情報の最高変調方式を、８ＱＡＭから１６ＱＡＭに設定を更新する。また、この様な状況で、送信するユーザデータにおいて、誤りが生じにくいと更新部１８３が判断すると、割り当てている拡張バッファ量の削減を少しずつ削減する更新（調整）を行う。そして、設定部１８１は、調整されたユーザ管理情報に基づく、通信に関する設定を行う。この様な調整を行うことで、ユーザが希望するサービスを確保しつつ、一方で、ユーザにサービスの低下が生じていることを気づかせない様な、基地局１００における無線リソースの割当の調整を行う。これにより、無線端末３００を利用するより多くのユーザの希望するサービスが満たせることができる。
（３）通信システム１０の動作  
次に、本実施形態に係る通信システム１０における基地局１００、管理サーバ２００、及び、無線端末３００の動作について説明する。
図５は、基地局１００、管理サーバ２００、及び、無線端末３００における動作を示す図である。
【００５１】
ステップＳ５１において、無線端末３００は、基地局１００に接続要求する。
【００５２】
ステップＳ５２において、接続要求を受信した基地局１００は、管理サーバ２００に、接続要求した無線端末３００の選択基準情報を要求する。
【００５３】
ステップＳ５３において、管理サーバ２００は、要求された無線端末３００の選択基準情報を、基地局１００に送信する。
【００５４】
ステップＳ５４において、基地局１００は、管理サーバ２００から受信した無線端末３００の選択基準情報を参照するとともに、無線リソース管理情報を比較する。
【００５５】
ステップＳ５５において、基地局１００は、参照、比較結果に応じた、無線端末３００のユーザ管理情報を作成する。
【００５６】
ステップＳ５６において、基地局１００と無線端末３００は、ユーザ管理情報に基づく通信に関する設定を行った後、ユーザデータの送受信を開始する。
【００５７】
ステップＳ５７において、基地局１００は、所定時間ごとに、無線端末３００との通信状況を取得し、通信管理情報として作成、管理する。
【００５８】
ステップＳ５８において、基地局１００は、通信管理情報に基づき、無線端末３００におけるユーザ管理情報の更新（調整）を行う。
【００５９】
ステップＳ５９において、基地局１００は、無線端末３００との通信が終了したか否かを判定し、通信が終了しない場合は、再び、ステップＳ５７に移行する。
【００６０】
なお、上述した実施の形態では、無線端末３００における選択基準情報の、変調方式の
設定に関し最高変調方式を利用したが、これに限られるものではなく、変調方式を設定する際のＳＮＲの基準値を変更する、といった設定に関するものでもよい。また、選択基準情報や、ユーザ管理情報の各項目については、上記実施例に記載した以外の情報も含まれる。
【符号の説明】
【００６１】
１０…通信システム、１００…基地局、１０１…アンテナ、１０２…無線処理部、１０３…信号処理部、１０４…バッファ部、１０５…上位層処理部、１０６…有線通信部、１０７…記憶部、１０８…制御部、１８１…設定部、１８２…作成部、１８３…更新部、２００…管理サーバ、２０１…有線通信部、２０２…制御部、２０３…記憶部、３００…無線端末、４００…ネットワーク。
【図１】
2011030126.tif 000003
【図２】
2011030126.tif 000004
【図３】
2011030126.tif 000005
【図４】
2011030126.tif 000006
【図５】
2011030126.tif 000007